(57)【要約】【課題】  制振装置が建物に及ぼす制振効果を高め、建物の変形や横揺れを有効に低減すること。【解決手段】  柱１１と梁１２を接合したラーメンフレーム１０Ａからなる建物において、建物のラーメンフレーム１０Ａの梁１２にスタッド１４、１５を立設し、このスタッド１４、１５に制振装置２０（２０Ａ、２０Ｂ）を含んだブレース２１を水平方向に対して斜めに配置して取付け、建物のラーメンフレーム１０Ａを構成する梁１２のスタッド立設部を下部構造体に固定するもの。【選択図】  図３
2006002364.tif 000002
【特許請求の範囲】
【請求項１】
柱と梁を接合したラーメンフレームからなる建物において、
建物のラーメンフレームの梁にスタッドを立設し、このスタッドに制振装置を含んだブ
レースを水平方向に対して斜めに配置して取付け、
建物のラーメンフレームを構成する梁のスタッド立設部を下部構造体に固定することを
特徴とする建物。
【請求項２】
前記ブレースが、ラーメンフレームの内部の２本のスタッドの間に配置される請求項１
に記載の建物。
【請求項３】
柱と梁を接合したラーメンフレームからなる建物ユニットにおいて、
ラーメンフレームの梁にスタッドを立設し、このスタッドに制振装置を含んだブレース
を水平方向に対して斜めに配置したことを特徴とする建物ユニット。
【請求項４】
前記ブレースが、ラーメンフレームの内部の２本のスタッドの間に斜めに配置される請
求項３に記載の建物ユニット。
【発明の詳細な説明】
【技術分野】
【０００１】
本発明は建物及び建物ユニットに関する。
【背景技術】
【０００２】
地震時の変形や横揺れを低減する建物として、特許文献１に記載の如く、上側の梁に固
定したトラスフレームと、下側の梁に固定したトラスフレームにより制振装置を構成した
ダンパを挟持するに際し、ダンパを水平配置するものがある。
【特許文献１】特開2001-152695
【発明の開示】
【発明が解決しようとする課題】
【０００３】
特許文献１の建物では、地震時の横揺れにより相対するトラスフレームが変位するとき
、ダンパを挟持している両トラスフレームは互いに水平方向に平行移動し、両トラスフレ
ームによるダンパの水平方向に沿う取付間隔は大きく変化しない。このため、両トラスフ
レームに挟持されているダンパの変形量は小さく、ダンパに発生する減衰力は小さい。従
って、ダンパが建物に及ぼす制振効果は低く、建物の変形や横揺れを有効に低減できない
。
【０００４】
本発明の課題は、制振装置が建物に及ぼす制振効果を高め、建物の変形や横揺れを有効
に低減することにある。
【課題を解決するための手段】
【０００５】
請求項１の発明は、柱と梁を接合したラーメンフレームからなる建物において、建物の
ラーメンフレームの梁にスタッドを立設し、このスタッドに制振装置を含んだブレースを
水平方向に対して斜めに配置して取付け、建物のラーメンフレームを構成する梁のスタッ
ド立設部を下部構造体に固定するものである。
【０００６】
請求項２の発明は、請求項１の発明において更に、前記ブレースが、ラーメンフレーム
の内部の２本のスタッドの間に配置されるものである。
【０００７】
請求項３の発明は、柱と梁を接合したラーメンフレームからなる建物ユニットにおいて
、ラーメンフレームの梁にスタッドを立設し、このスタッドに制振装置を含んだブレース
を水平方向に対して斜めに配置したものである。
【０００８】
請求項４の発明は、請求項３の発明において更に、前記ブレースが、ラーメンフレーム
の内部の２本のスタッドの間に斜めに配置されるものである。
【発明の効果】
【０００９】
（請求項１）
(a)地震時の横揺れにより建物のスタッドが傾斜したとき、スタッドに取付けられてい
る制振装置を含んだブレースは水平方向に対して斜め配置されており、スタッドによる制
振装置を含んだブレースの斜め方向に沿う取付間隔を大きく変化する。このため、スタッ
ドに取付けられている制振装置の変形量は大きく、制振装置に発生する減衰力は大きい。
従って、制振装置を含んだブレースが建物に及ぼす制振効果は高く、建物の変形や横揺れ
を有効に低減できる。
【００１０】
(b)上述(a)において建物の梁を基礎や束等の下部構造体に固定することにより、この梁
の変形を抑え、この梁に立設されたスタッドによる制振装置を含んだブレースの斜め方向
に沿う取付間隔をより大きく変化するものになる。
【００１１】
（請求項２）
(c)制振装置を含んだブレースを建物の２本のスタッドの間に配置した。従って、地震
時の横揺れにより、制振装置を含んだブレースを間に配置している両スタッドは互いに水
平方向に平行移動してひし形状に変形するものになり、両スタッドによる制振装置を含ん
だブレースの斜め方向に沿う取付間隔を大きく変化するものになる。
【００１２】
(d)上述(c)において、建物の梁を前述(b)の如くに基礎や束等の下部構造体に固定する
ことにより、この梁の変形を抑え、この梁に立設されている２本のスタッドのひし形状の
変形をより大きなものにし、両スタッドによる制振装置を含んだブレースの斜め方向に沿
う取付間隔をより大きく変化するものになる。
【００１３】
（請求項３）
(e)地震時の横揺れにより建物ユニットのスタッドが傾斜したとき、スタッドに取付け
られている制振装置を含んだブレースは水平方向に対して斜め配置されており、スタッド
による制振装置を含んだブレースの斜め方向に沿う取付間隔を大きく変化する。このため
、スタッドに取付けられている制振装置の変形量は大きく、制振装置に発生する減衰力は
大きい。従って、制振装置を含んだブレースがユニット建物に及ぼす制振効果は高く、ユ
ニット建物の変形や横揺れを有効に低減できる。
【００１４】
(f)上述(e)において建物ユニットの梁を基礎や束等の下部構造体に固定することにより
、この梁の変形を抑え、この梁に立設されたスタッドによる制振装置を含んだブレースの
斜め方向に沿う取付間隔をより大きく変化するものになる。
【００１５】
（請求項４）
(g)制振装置を含んだブレースを建物ユニットの２本のスタッドの間に配置した。従っ
て、地震時の横揺れにより、制振装置を含んだブレースを間に配置している両スタッドは
互いに水平方向に平行移動してひし形状に変形するものになり、両スタッドによる制振装
置を含んだブレースの斜め方向に沿う取付間隔を大きく変化するものになる。
【００１６】
(h)上述(g)において、建物ユニットの梁を前述(f)の如くに基礎や束等の下部構造体に
固定することにより、この梁の変形を抑え、この梁に立設されている２本のスタッドのひ
し形状の変形をより大きなものにし、両スタッドによる制振装置を含んだブレースの斜め
方向に沿う取付間隔をより大きく変化するものになる。
【発明を実施するための最良の形態】
【００１７】
図１は建物ユニットを示す模式正面図、図２は建物ユニットの基礎固定構造を示す断面
図、図３は床梁のスタッド立設部を基礎に固定した建物ユニットを示し、（Ａ）は水平力
が作用する状態の模式正面図、（Ｂ）は横揺れ状態の模式正面図、図４は床梁のスタッド
立設部を基礎に固定していない建物ユニットの横揺れ状態を示す模式正面図である。
【実施例】
【００１８】
本発明のユニット建物は、図１に示した如くの複数個の建物ユニット１０を基礎（又は
束）１の上で、左右上下に隣接設置して構築されるものである。
【００１９】
建物ユニット１０は、４隅の例えば角鋼管製の柱の１１の下端部間に溝形鋼製床梁１２
を、上端部間に溝形鋼製天井梁１３を架け渡して接合したラーメンフレーム１０Ａからな
る。
【００２０】
建物ユニット１０は、ラーメンフレーム１０Ａの内部の床梁１２と天井梁１３の間の壁
面内で窓等を設けない領域に、以下の如くの制振構造を設ける。
【００２１】
(1)基礎１の上に建物ユニット１０を据付ける。建物ユニット１０の柱１１の脚部及び
床梁１２がアンカーボルト２により基礎１に固定される（図２）。このとき、後述(4)を
行なっても良い。
【００２２】
(2)ラーメンフレーム１０Ａの内部の床梁１２と天井梁１３の間に２本の形鋼製スタッ
ド１４、１５を立設する。スタッド１４、１５は床梁１２、天井梁１３にボルト１６で接
合される。
【００２３】
(3)２本のスタッド１４、１５にオイルダンパ等の制振装置２０（２０Ａ、２０Ｂ）を
含んだブレース２１をボルト接合又はピン接合にて取付ける。制振装置２０を含んだブレ
ース２１は、２本のスタッド１４、１５に挟持され、水平方向に対して斜めに配置されて
取付けられる。本実施例では、スタッド１４の中間部に設けた取付部１４Ａに２本の制振
装置２０Ａ、２０Ｂのブレース２１の一端部（例えばオイルダンパのピストンロッドにつ
ながるブレース）を取付け、制振装置２０Ａのブレース２１の他端部（例えばオイルダン
パのシリンダにつながるブレース）をスタッド１５の上端取付部１５Ａに、制振装置２０
Ｂのブレースの他端部（例えばオイルダンパのシリンダにつながるブレース）をスタッド
１５の下端取付部１５Ｂに取付ける。
【００２４】
(4)建物ユニット１０の床梁１２における、スタッド１４、１５の立設部を、アンカー
ボルト２により基礎１に固定する（図２）。床梁１２は、スタッド１４、１５の立設部で
、上下のフランジ間に渡る開き防止プレート１２Ａを溶接されて備える。
【００２５】
以下、地震時等に建物ユニット１０に作用する水平力Ｆ（図３（Ａ））によるラーメン
フレーム１０Ａの変形機構ついて説明する。
【００２６】
建物ユニット１０の床梁１２における、スタッド１４、１５の立設部を前述の如くに、
アンカーボルト２により基礎１に固定した場合には、図３（Ｂ）に示す如く、水平力Ｆに
よりラーメンフレーム１０Ａが横揺れするとき、２本のスタッド１４、１５は互いに水平
方向に平行移動してひし形状に変形するものの、両スタッド１４、１５に挟まれる床梁１
２が基礎１に固定されていて浮き上がらないから、両スタッド１４、１５が床梁１２、天
井梁１３とともになすひし形状の変形はより大なるものになる。これにより、両スタッド
１４、１５による制振装置２０Ａ、２０Ｂを含んだブレース２１の斜め方向に沿う取付間
隔の変化量、換言すれば制振装置２０Ａ、２０Ｂを含んだブレース２１の変形量ｕＬ1、
ｄＬ2を大きくとることができる。
【００２７】
これに対し、建物ユニット１０の床梁１２における、スタッド１４、１５の立設部を基
礎１に固定しない場合には、図４に示す如く、水平力Ｆによりラーメンフレーム１０Ａが
横揺れするとき、両スタッド１４、１５に挟まれる床梁１２が基礎１から浮き上がり、両
スタッド１４、１５が床梁１２、天井梁１３とともになすひし形状の変形は小さなものに
なる。これにより、両スタッド１４、１５による制振装置２０Ａ、２０Ｂを含んだブレー
ス２１の斜め方向に沿う取付間隔の変化量、換言すれば制振装置２０Ａ、２０Ｂを含んだ
ブレース２１の変形量ｕＬ2、ｄＬ2は小さくなる。
【００２８】
即ち、ｕＬ1＞ｕＬ2、ｄＬ1＞ｄＬ2となり、図３の制振装置２０Ａ、２０Ｂを含んだブ
レース２１は、図４におけるよりも大きく変形し、結果として大きな減衰力を発生し、建
物ユニット１０に対して高い制振効果を及ぼす。
【００２９】
尚、制振装置２０（２０Ａ、２０Ｂ）としては、オイルダンパ、摩擦ダンパ、粘弾性ダ
ンパ等を採用できる。オイルダンパは、ピストンロッドをシリンダに挿入して構成され、
シリンダ内のオイルの粘性抵抗をシリンダ内に配置してあるピストンに設けた減衰バルブ
機構により吸収し、減衰力を発生する。制振装置２０（２０Ａ、２０Ｂ）は、ピストンロ
ッドの移動速度が速いときには減衰力が大きく、移動速度が遅いときには減衰力が小さく
なるから、建物ユニット１０の急激な揺れに対して大きな制振効果を及ぼす。
【００３０】
本実施例によれば以下の作用効果を奏する。
(a)地震時の横揺れにより建物ユニット１０のスタッド１４、１５が傾斜したとき、ス
タッド１４、１５に取付けられている制振装置２０（２０Ａ、２０Ｂ）を含んだブレース
２１は水平方向に対して斜め配置されており、スタッド１４、１５による制振装置２０（
２０Ａ、２０Ｂ）を含んだブレース２１の斜め方向に沿う取付間隔を大きく変化する。こ
のため、スタッド１４、１５に取付けられている制振装置２０（２０Ａ、２０Ｂ）の変形
量は大きく、制振装置２０（２０Ａ、２０Ｂ）に発生する減衰力は大きい。従って、制振
装置２０（２０Ａ、２０Ｂ）を含んだブレース２１がユニット建物に及ぼす制振効果は高
く、ユニット建物の変形や横揺れを有効に低減できる。
【００３１】
(b)上述(a)において建物ユニット１０の床梁１２を基礎１や束等の下部構造体に固定す
ることにより、この床梁１２の変形を抑え、この床梁１２に立設されたスタッド１４、１
５による制振装置２０（２０Ａ、２０Ｂ）を含んだブレース２１の斜め方向に沿う取付間
隔をより大きく変化するものになる。
【００３２】
(c)制振装置２０（２０Ａ、２０Ｂ）を含んだブレース２１を建物ユニット１０の２本
のスタッド１４、１５に挟持した。従って、地震時の横揺れにより、制振装置２０（２０
Ａ、２０Ｂ）を含んだブレース２１を挟持している両スタッド１４、１５は互いに水平方
向に平行移動してひし形状に変形するものになり、両スタッド１４、１５による制振装置
２０（２０Ａ、２０Ｂ）を含んだブレース２１の斜め方向に沿う取付間隔を大きく変化す
るものになる。
【００３３】
(d)上述(c)において、建物ユニット１０の床梁１２を前述(b)の如くに基礎１や束等の
下部構造体に固定することにより、この床梁１２の変形を抑え、この床梁１２に立設され
ている２本のスタッド１４、１５のひし形状の変形をより大きなものにし、両スタッド１
４、１５による制振装置２０（２０Ａ、２０Ｂ）を含んだブレース２１の斜め方向に沿う
取付間隔をより大きく変化するものになる。
【００３４】
以上、本発明の実施例を図面により詳述したが、本発明の具体的な構成はこの実施例に
限られるものではなく、本発明の要旨を逸脱しない範囲の設計の変更等があっても本発明
に含まれる。例えば、本発明は、建物ユニットを用いない一般の建物にも適用できる。
【図面の簡単な説明】
【００３５】
【図１】図１は建物ユニットを示す模式正面図である。
【図２】図２は建物ユニットの基礎固定構造を示す断面図である。
【図３】図３は床梁のスタッド立設部を基礎に固定した建物ユニットを示し、（Ａ）は水平力が作用する状態の模式正面図、（Ｂ）は横揺れ状態の模式正面図である。
【図４】図４は床梁のスタッド立設部を基礎に固定していない建物ユニットの横揺れ状態を示す模式正面図である。
【符号の説明】
【００３６】
１０  建物ユニット
１０Ａ  ラーメンフレーム
１１  柱
１２、１３  梁
１４、１５  スタッド
２０、２０Ａ、２０Ｂ  制振装置
２１  ブレース
【図１】
2006002364.tif 000003
【図２】
2006002364.tif 000004
【図３】
2006002364.tif 000005
【図４】
2006002364.tif 000006